(57)【要約】【課題】高温環境における植物の根腐れの抑制と高温環境を利用した植物の光合成の促進との双方を実現することができる水耕栽培装置を提供する。【解決手段】水耕栽培装置１００は、植物１の根２が浸される水または養液３が流れるかまたは貯留される液体流路／貯留部１０と、水または養液３中の酸素濃度を調整する酸素濃度調整部６０と、植物１または植物１の周辺の所定の位置の温度を測定する温度測定部３０，４０と、温度測定部３０，４０によって測定された所定の位置の温度が植物１の生育最高限界温度または生育最高限界温度に対応する温度以上の温度になった場合に、水または養液３中の酸素濃度を増加させるように、酸素濃度調整部６０を制御する制御部５０と、を備えている。【選択図】図１
2016214147.tif 000002
【特許請求の範囲】
【請求項１】
植物の根が浸される水または養液が流れるかまたは貯留される液体流路／貯留部と、
前記水または養液の酸素濃度を調整する酸素濃度調整部と、
前記植物または前記植物の周辺の所定の位置の温度を測定する温度測定部と、
前記温度測定部によって測定された前記所定の位置の温度が前記植物の生育最高限界温度または前記生育最高限界温度に対応する温度以上の温度になった場合に、前記水または養液の酸素濃度を増加させるように、前記酸素濃度調整部を制御する制御部と、を備えた、水耕栽培装置。
【請求項２】
前記植物の温度または前記植物の周辺の位置の温度を調整する温度調整部をさらに備え、
前記制御部は、前記所定の位置の温度が前記生育最高限界温度または前記生育最高限界温度に対応する温度以上の温度になるように、前記温度調整部を制御する、請求項１に記載の水耕栽培装置。
【請求項３】
前記植物の葉に光を照射する光照射部をさらに備え、
前記制御部は、前記所定の位置の温度が前記生育最高限界温度または前記生育最高限界温度に対応する温度以上の温度になるように前記温度調整部を制御する場合には、前記植物の葉に光が照射されるように前記光照射部を制御する、請求項２に記載の水耕栽培装置。
【請求項４】
前記植物の温度または前記植物の周辺の位置の温度を調整する温度調整部をさらに備え、
前記制御部は、前記温度調整部を制御していない状態において、前記所定の位置の温度が前記生育最高限界温度または前記生育最高限界温度に対応する温度以上の温度になった場合には、前記温度調整部を制御していない状態を維持する、請求項１に記載の水耕栽培装置。
【請求項５】
前記植物の葉に光を照射する光照射部をさらに備え、
前記制御部は、前記所定の位置の温度が前記生育最高限界温度または前記生育最高限界温度に対応する温度以上の温度になった場合には、前記植物の葉に光が照射されるように前記光照射部を制御する、請求項１または４に記載の水耕栽培装置。
【請求項６】
前記酸素濃度調整部は、前記所定の位置の温度が前記生育最高限界温度または前記生育最高限界温度に対応する温度以上の温度になった場合に、前記所定の位置の温度が上昇するにつれて、前記水または養液の酸素濃度を増加させる、請求項１〜５のいずれかに記載の水耕栽培装置。
【請求項７】
前記所定の位置の温度は、前記植物の周辺の雰囲気の温度である、請求項１〜６のいずれかに記載の水耕栽培装置。
【請求項８】
前記所定の位置の温度は、前記水または養液の温度である、請求項１〜７のいずれかに記載の水耕栽培装置。
【請求項９】
前記液体流路／貯留部に前記水または養液を供給する液体供給部をさらに備え、
前記酸素濃度調整部は、前記液体供給部の前記水または養液の酸素濃度を調整する、請求項１〜８のいずれかに記載の水耕栽培装置。
【請求項１０】
前記液体流路／貯留部の前記水または養液の酸素濃度を測定する酸素濃度測定部をさらに備え、
前記酸素濃度調整部は、前記酸素濃度測定部によって測定された前記水または養液の酸素濃度の情報に基づいて、前記液体流路／貯留部の前記水または養液の酸素濃度を調整する、請求項１〜８のいずれかに記載の水耕栽培装置。
【発明の詳細な説明】
【技術分野】
【０００１】
本発明は、土を使用せずに根を水または養液に浸して植物を栽培する水耕栽培装置に関する。
【背景技術】
【０００２】
水耕栽培においては、根が水または養液に浸された状態で植物が栽培される。そのため、植物の根は、水または養液中の溶存酸素を呼吸で消費する。したがって、水耕栽培においては、根に必要な酸素が不足することに起因して、植物の根腐れが生じる傾向がある。そのため、根腐れを抑制するために、水または養液中の溶存酸素濃度を調整することが行われている。これに関連する水耕栽培の技術文献として、次の特許文献１〜５が挙げられる。
【先行技術文献】
【特許文献】
【０００３】
【特許文献１】特開昭５３−７５０３１号公報
【特許文献２】特開昭６２−２２４２１５号公報
【特許文献３】特開昭５３−１３８８４７号公報
【特許文献４】特開２００２−２９１３５８号公報
【特許文献５】特開２００７−６８５９号公報
【発明の概要】
【発明が解決しようとする課題】
【０００４】
一般的に、植物は、その周辺の雰囲気の温度が上昇するにつれて、光合成の量が増加する。したがって、光合成の量の増加の観点においては、高温の雰囲気の中で植物を栽培することが好ましい場合がある。一方、高温の雰囲気の中で植物の水耕栽培を行うと、植物の根の呼吸量も増加するため、前述の根腐れが生じ易くなる。したがって、通常根腐れが生じ易いと考えられている育成最高限界温度以上の高温状態において植物を水耕栽培することは行われていない。むしろ、植物の適切な成長のために、育成最高限界温度よりも低い温度になるように、植物の周辺環境の温度を制御することが一般的である。したがって、高温環境における植物の根腐れの抑制と高温環境を利用した植物の光合成の促進との双方を実現することができる水耕栽培装置は存在しない。
【０００５】
本発明は、このような従来技術の有する課題に鑑みてなされたものである。そして、本発明の目的は、高温環境における植物の根腐れの抑制と高温環境を利用した植物の光合成の促進との双方を実現することができる水耕栽培装置を提供することである。
【課題を解決するための手段】
【０００６】
上記課題を解決するために、本発明の態様に係る水耕栽培装置は、植物の根が浸される水または養液が流れるかまたは貯留される液体流路／貯留部と、前記水または養液中の酸素濃度を調整する酸素濃度調整部と、前記植物または前記植物の周辺の所定の位置の温度を測定する温度測定部と、前記温度測定部によって測定された前記所定の位置の温度が前記植物の生育最高限界温度または前記生育最高限界温度に対応する温度以上の温度になった場合に、前記水または養液中の酸素濃度を増加させるように、前記酸素濃度調整部を制御する制御部と、を備えている。
【発明の効果】
【０００７】
本発明によれば、高温環境における植物の根腐れの抑制と高温環境を利用した植物の光合成の促進との双方を実現することが可能になる。
【図面の簡単な説明】
【０００８】
【図１】本発明の実施の形態１の水耕栽培装置の全体構成を説明するための断面模式図と機能ブロック図とを組み合わせた図である。
【図２】本発明の実施の形態１の水耕栽培装置の制御部が実行する酸素濃度調整処理を説明するためのフローチャートである。
【図３】本発明の実施の形態２の水耕栽培装置の全体構成を説明するための断面模式図と機能ブロック図とを組み合わせた図である。
【図４】本発明の実施の形態２の水耕栽培装置の制御部が実行する酸素濃度調整処理を説明するためのフローチャートである。
【図５】本発明の実施の形態３の水耕栽培装置の全体構成を説明するための断面模式図と機能ブロック図とを組み合わせた図である。
【図６】本発明の実施の形態３の水耕栽培装置の制御部が実行する酸素濃度調整処理を説明するためのフローチャートである。
【発明を実施するための形態】
【０００９】
以下、図面を参照しながら、本実施の形態の水耕栽培装置を説明する。
【００１０】
（実施の形態１）
図１および図２を用いて、実施の形態１の水耕栽培装置を説明する。
【００１１】
まず、図１を用いて、実施の形態１の水耕栽培装置１００の全体構成を説明する。図１に示されるように、本実施の形態の水耕栽培装置１００は、植物１の育成者が出入りできる扉を有するコンテナのような筐体９５を備えている。本実施の形態の水耕栽培装置１００は、筐体９５内に、液体流路／貯留部１０、地表面部２０、温度測定部３０，４０、制御部５０、酸素濃度調整部６０、液体供給部７０、温度調整部８０、および光照射部９０を備えている。
【００１２】
液体流路／貯留部１０は、植物１の根が浸される水または養液３が流れるかまたは貯留されるものである。液体流路／貯留部１０は、水槽のような形状を有しており、その開放端を塞ぐように蓋状の地表面部２０が設けられている。液体流路／貯留部１０と地表面部２０とは、一体となって実質的に密閉された空間を形成している。この密閉された空間内に、植物１の根２を含む地下部が内包されている。地表面部２０の上側には、植物１の葉４等の地上部が延びている。
【００１３】
温度測定部３０，４０は、植物１の周辺の雰囲気の温度を測定する気温センサ３０と、水または養液３の温度を測定する液温センサ４０とを含んでいる。気温センサ３０および液温センサ４０は、それぞれ、測定された温度の情報を制御部５０へ送信する。
【００１４】
温度測定部３０，４０によって測定された所定の位置の温度が植物１の生育最高限界温度または生育最高限界温度に対応する温度以上の温度になる場合がある。この場合に、制御部５０は、水または養液３中の酸素濃度を増加させるように、酸素濃度調整部６０を制御する。生育最高限界温度は、植物１ごとに過去のデータによって育成に適さないと一般に認められている植物の周辺の雰囲気の温度である。また、生育最高限界温度に対応する温度は、植物１の周辺の雰囲気の温度が育成最高限界温度になっているときの植物１の周辺の所定の位置の物質の温度、たとえば、水または養液６０の温度または地表面部２０の温度であるものとする。
【００１５】
酸素濃度調整部６０は、水または養液３の酸素濃度を調整する。本実施の形態においては、酸素濃度調整部６０は、液体供給部７０内の水または養液３へ酸素ボンベから酸素を供給する。それによって、液体供給部７０内の水または養液３の酸素濃度が調整される。
【００１６】
温度測定部３０，４０は、水または養液３の温度から水または養液３中の酸素の不足の有無を推定するために、植物１または植物１の周辺の所定の位置の温度を測定する。本実施の形態においては、前述の所定の位置の温度は、植物１の周辺の雰囲気の温度および水または養液３の温度のいずれかであってもよい。
【００１７】
液体供給部７０は、液体流路／貯留部１０に水または養液３を供給する。温度調整部８０は、植物１自身の温度または植物１の周辺の位置の温度を調整する。光照射部９０は、植物１の葉４に光を照射する。
【００１８】
一般的に、植物１は、温度が上昇するにつれて、光合成量および呼吸量の双方が増加する。そのため、たとえば、生育最高限界温度が２０℃の植物１を栽培する場合、２０℃を超える温度の雰囲気中において植物１を栽培すると、植物１の呼吸量の増加に起因した酸素不足によって、植物１の成長が阻害されるおそれがある。特に、水耕栽培における水または養液３は、それに浸っている植物１の根２の成長にとって十分な酸素を含んでいない場合がある。この場合、酸素不足に起因した植物１の根腐れが発生するおそれがある。
【００１９】
しかしながら、上記の本実施の形態の水耕栽培装置１００によれば、植物１の根２の呼吸に必要な酸素が不足している場合に、根２が浸っている水または養液３中の酸素濃度を増加させることができる。したがって、酸素不足に起因した根２の腐敗を抑制することができる。
【００２０】
制御部５０は、所定の位置の温度が生育最高限界温度または生育最高限界温度に対応する温度以上の温度になるように、温度調整部８０を制御する。温度調整部８０は、一般的に使用されている空間の雰囲気の温度を所定の温度に調整するための冷暖房可能な空気調和機である。そのため、酸素の欠乏に起因した植物１の根腐れを抑制しながら、植物１の周辺の雰囲気の温度を上昇させることにより、植物１の葉４における光合成を促進させることが可能になる。
【００２１】
本実施の形態においては、制御部５０は、所定の位置の温度が生育最高限界温度または生育最高限界温度に対応する温度以上の温度になるように温度調整部８０を制御する場合には、植物１の葉４に光が照射されるように光照射部９０を制御する。そのため、自然光では光合成を行うことができない場合においても、光合成を促進させることができる。
【００２２】
（変形例）
制御部５０は、温度調整部８０を制御していない状態において、所定の位置の温度が生育最高限界温度または生育最高限界温度に対応する温度以上の温度になった場合には、温度調整部８０を制御していない状態を維持する。つまり、温度調整部８０を備えているにもかかわらず、所定の位置の温度が生育最高限界温度または生育最高限界温度に対応する温度以上の温度になっても、植物１の光合成を促進するために敢えて温度調整部８０を制御しない。言い換えると、制御部５０は、植物１の周辺の所定の位置の温度が生育最高限界温度または生育最高限界温度に対応する温度以上の温度になっても、その温度を育成最高限界温度または生育最高限界温度に対応する温度よりも低い温度に調整しない。
【００２３】
本変形例においては、植物１の根腐れの抑制と植物１の光合成の促進との双方を実現させながら、必要なときに温度調整部８０を使用することにより、植物１の周辺の雰囲気の温度を調整することができる。
【００２４】
この変形例においても、光合成を促進するために、本実施の形態においては、制御部５０は、所定の位置の温度が生育最高限界温度または生育最高限界温度に対応する温度以上の温度になった場合には、植物１の葉４に光が照射されるように光照射部９０を制御する。そのため、自然光による光合成を行うことができない場合においても、光合成を促進させることができる。
【００２５】
次に、図２を用いて、実施の形態１の水耕栽培装置１００の制御部５０により実行される酸素濃度調整処理を説明する。
【００２６】
図２に示されるように、本実施の形態の水耕栽培装置１００の制御部５０は、ステップＳ１において、温度調整部８０に植物１の地上部の周辺の雰囲気の温度を上昇させる。ただし、このステップＳ１の処理が実行されずに、自然の温度上昇が生じる場合もある。次に、ステップＳ２において、制御部５０は、所定の位置の温度として気温センサ３０から植物１の地上部の周辺の雰囲気の温度の情報を取得する。ただし、所定の位置の温度は、液温センサ４０によって取得された水または養液３の温度等であってもよい。
【００２７】
その後、ステップＳ３において、制御部５０は、気温センサ３０によって取得された植物１の地上部の周辺の雰囲気の温度が育成最高限界定の温度以上になっているか否かを判定する。ステップＳ３において、気温センサ３０によって取得された植物１の地上部の周辺の雰囲気の温度が所定の温度以上になっていないと判定された場合には、ステップＳ５において、酸素濃度調整部６０の酸素ボンベのバルブを閉状態に変化させるか、または、閉状態で維持する。それにより、ステップＳ１〜ステップＳ３の処理が繰り返される。
【００２８】
一方、ステップＳ３において、気温センサ３０によって取得された植物１の地上部の周辺の雰囲気の温度が所定の温度以上になっていると判定された場合には、ステップＳ４において、酸素濃度調整部６０の酸素ボンベのバルブを開状態に変化させるか、または、開状態で維持する。これにより、液体供給部７０内の水または養液３の酸素濃度が増加する。その酸素濃度が増加した水または養液３が液体供給部７０から液体流路／貯留部１０へ供給される。それにより、液体流路／貯留部１０内の水または養液３の酸素濃度が増加する。その結果、植物１の根２が酸素不足に起因して腐敗してしまうことが防止される。
【００２９】
次に、ステップＳ６において、制御部５０は、光照射部９０を点灯させるか、光照射部９０が発する光の量を増加させるか、または、光照射部９０の点灯状態を維持させるように、光照射部９０を制御する。いずれにしても、制御部５０は、植物１の葉４に光が照射されるように光照射部９０を制御する。これにより、植物１の周辺の雰囲気の温度が育成最高限界温度まで上昇しているため、植物１の葉が光を受けると、植物１の光合成が促進される。
【００３０】
（実施の形態２）
図３および図４を用いて、実施の形態２の水耕栽培装置を説明する。本実施の形態の水耕栽培装置１００は、実施の形態１の水耕栽培装置１００とほぼ同様の構成を有している。したがって、本実施の形態の水耕栽培装置１００の構成と実施の形態１の水耕栽培装置１００の構成とが同一である場合には、同一の参照符号が同一の構成に付されている。本実施の形態においては、特に必要がなければ、実施の形態１の構成と同一の構成の説明は繰り返さない。
【００３１】
まず、図３を用いて、実施の形態２の水耕栽培装置１００の全体構成を説明する。本実施の形態の水耕栽培装置１００は、図１に示される実施の形態１の水耕栽培装置１００の各構成に加えて、液体流路／貯留部１０の水または養液３の酸素濃度を測定する酸素濃度測定部１５を備えている。また、本実施の形態においては、酸素濃度調整部６０は、酸素濃度測定部１５によって測定された水または養液３の酸素濃度の情報に基づいて、液体流路／貯留部１０の水または養液３の酸素濃度を調整する。
【００３２】
これによれば、植物１の根２に近い位置の水または養液３中の酸素濃度の測定結果に応じて水または養液３中の酸素濃度を調整する。そのため、植物１の酸素の消費量に応じて水または養液３中の酸素濃度をより適切な酸素濃度に調整することができる。
【００３３】
次に、図４を用いて、実施の形態２の水耕栽培装置１００の制御部５０により実行される酸素濃度調整処理を説明する。
【００３４】
図４に示される本実施の形態の制御部５０による酸素濃度調整処理は、図２に示される実施の形態１の制御部５０による酸素濃度調整処理と比較して、ステップＳ７およびステップＳ８の処理が増加していることのみ異なる。
【００３５】
ステップＳ７においては、制御部５０は、酸素濃度測定部１５から液体流路／貯留部１０の水または養液３の酸素濃度の情報を取得する。次に、ステップＳ８において、制御部５０は、液体流路／貯留部１０の水または養液３の酸素濃度をステップＳ２において取得された温度に応じた植物１に必要な酸素濃度に調整する。なお、ステップＳ２において取得された植物１の地上部の周辺の雰囲気の温度が高いほど、植物１に必要な酸素濃度は高くなる。
【００３６】
酸素濃度調整部６０は、所定の位置の温度が生育最高限界温度または生育最高限界温度に対応する温度以上の温度になった場合に、所定の位置の温度が上昇するにつれて、水または養液３中の酸素濃度を増加させる。本実施の形態においては、植物１により適した育成環境を提供するために、温度の上昇に伴って増加する呼吸に必要な酸素量に対応するように、水または養液３中の酸素量を増加させる。
【００３７】
たとえば、植物１がその生育に適する温度の上限が２０℃と言われている場合において、光合成を促進するために２５℃の雰囲気で植物１を栽培したとする。この場合において、温度測定部３０，４０は、測定された温度情報を特定可能な信号を制御部５０へ送信する。制御部５０は、測定された温度に対応する植物１の呼吸に必要な酸素量に対応する水または養液３中の必要酸素濃度を算出し、水または養液３中の酸素濃度が必要酸素濃度になるように酸素濃度調整部６０を制御する。それにより、増加する根２の呼吸に必要な酸素を液体流路／貯留部１０の水または養液３に供給することによって、光合成を促進させることができる。
【００３８】
（実施の形態３）
図５および図６を用いて、実施の形態３の水耕栽培装置を説明する。本実施の形態の水耕栽培装置１００は、実施の形態２の水耕栽培装置１００とほぼ同様の構成を有している。したがって、本実施の形態の水耕栽培装置１００の構成と実施の形態２の水耕栽培装置１００の構成とが同一である場合には、同一の参照符号が同一の構成に付されている。本実施の形態においては、特に必要がなければ、実施の形態２の構成と同一の構成の説明は繰り返さない。
【００３９】
まず、図５を用いて、実施の形態３の水耕栽培装置１００の全体構成を説明する。  図５に示されるように、本実施の形態の水耕栽培装置１００は、実施の形態２の水耕栽培装置１００と比較して、温度調整部８０および光照射部９０のみが異なっている。具体的には、本実施の形態の水耕栽培装置は、前述の光照射部９０のような人工の光源を有しておらず、自然光を利用して植物１に光合成をさせる水耕栽培装置である。本実施の形態の水耕栽培装置１００は、筐体９５の天井部９５ａが透明部材によって構成されている。そのため、図５に矢印で示されるように、太陽光が透明な天井部９５ａを透過し、植物１の葉４に直接照射される。
【００４０】
ただし、本実施の形態の水耕栽培装置１００は、天井部９５ａを含む筐体９５の全体が不透明であり、筐体９５の外部に設けられた受光部で取得された光が導光路を経由して植物１に照射されるものであってもよい。また、水耕栽培装置１００は、上記の実施の形態１および２のいずれかの水耕栽培装置１００の筐体９５および光照射部９０を備えていないものであってもよい。
【００４１】
前述のいずれの装置においては、太陽光による光の強度が高いために、温度測定部３０，４０によって測定された所定の位置の温度が植物１の生育最高限界温度または生育最高限界温度に対応する温度以上の温度に自然になってしまう場合がある。この場合に、制御部５０は、水または養液３中の酸素濃度を増加させるように、酸素濃度調整部６０を制御する。そのため、本実施の形態の水耕栽培装置１００によっても、植物１の根２の呼吸に必要な酸素が不足している場合に、根２が浸っている水または養液３中の酸素濃度を増加させることができる。この場合、酸素不足に起因した根腐れを防止しながら、植物１の光合成を促進させることが可能になる。
【００４２】
本実施の形態の水耕栽培装置１００においても、制御部５０は、温度調整部８０を制御していない状態において、所定の位置の温度が生育最高限界温度または生育最高限界温度に対応する温度以上の温度になる場合がある。この場合には、温度調整部８０を制御していない状態を維持する。つまり、温度調整部８０を備えているにもかかわらず、所定の位置の温度が生育最高限界温度または生育最高限界温度に対応する温度以上の温度になっても、植物１の光合成を促進するために敢えて温度調整部８０を制御しない。これによっても、植物１の根腐れの抑制と植物１の光合成の促進との双方を実現させながら、必要なときに温度調整部８０を使用することにより、植物１の周辺の雰囲気の温度を調整することができる。
【００４３】
次に、図６を用いて、実施の形態３の水耕栽培装置１００の制御部５０により実行される酸素濃度調整処理を説明する。
【００４４】
図６に示される本実施の形態の制御部５０による酸素濃度調整処理は、図４に示される実施の形態１の制御部５０による酸素濃度調整処理と比較して、ステップＳ６を備えていないことのみ異なる。これは、本実施の形態においては、植物１の葉４は自然光を利用して光合成を行うため、光照射部９０等の人工光源を備えていないからである。本実施の形態の酸素濃度調整処理によれば、太陽光を利用するため、人工光源を備えていなくても、植物１の周辺の所定の位置の温度の自然の上昇を利用して、植物１の光合成を促進させることができる。
【００４５】
（実施の形態の特徴的構成および効果）
以下、実施の形態の水耕栽培装置１００の特徴的構成およびそれにより得られる効果を記載する。
【００４６】
（１）  水耕栽培装置１００は、液体流路／貯留部１０、酸素濃度調整部６０、温度測定部３０，４０、および制御部５０を備えている。液体流路／貯留部１０は、植物１の根２が浸される水または養液３が流れるかまたは貯留されるものである。酸素濃度調整部６０は、水または養液３の酸素濃度を調整する。温度測定部３０，４０は植物１または植物１の周辺の所定の位置の温度を測定する。制御部５０は、温度測定部３０，４０によって測定された所定の位置の温度が植物１の生育最高限界温度または生育最高限界温度に対応する温度以上の温度になった場合に、水または養液３の酸素濃度を増加させるように、酸素濃度調整部６０を制御する。
【００４７】
上記の構成によれば、水または養液３内において植物１の根２の呼吸に必要な酸素が不足している場合に、根２が浸っている水または養液３の酸素濃度を増加させることができる。そのため、育成最高限界温度以上の高温状態において植物１を栽培しても、水または養液３中の酸素不足に起因した植物１の根腐れを抑制することができる。その結果、育成最高限界温度以上の高温温度において植物１を栽培することができる。したがって、根腐れを抑制しながら、光合成を促進することができる。
【００４８】
（２）  水耕栽培装置１００は、植物１の温度または植物１の周辺の位置の温度を調整する温度調整部８０をさらに備えていることが好ましい。制御部５０は、所定の位置の温度が生育最高限界温度または生育最高限界温度に対応する温度以上の温度になるように、温度調整部８０を制御することが好ましい。
【００４９】
上記の構成によれば、酸素の欠乏に起因した植物１の根腐れを抑制しながら、植物１の光合成を積極的に促進させることが可能になる。
【００５０】
（３）  水耕栽培装置１００は、植物１の葉４に光を照射する光照射部９０をさらに備えていることが好ましい。所定の位置の温度が生育最高限界温度または生育最高限界温度に対応する温度以上の温度になるように温度調整部８０を制御する場合がある。この場合には、制御部５０は、植物１の葉４に光が照射されるように光照射部９０を制御することが好ましい。
【００５１】
上記の構成によれば、自然光による光合成を行うことができない場合においても、光合成を促進させることができる。
【００５２】
（４）  植物１の温度または植物１の周辺の位置の温度を調整する温度調整部８０をさらに備えていることが好ましい。制御部５０は、温度調整部８０を制御していない状態において、所定の位置の温度が生育最高限界温度または生育最高限界温度に対応する温度以上の温度になった場合には、温度調整部８０を制御していない状態を維持することが好ましい。
【００５３】
上記の構成によれば、温度調整部８０を備えているにもかかわらず、所定の位置の温度が生育最高限界温度または生育最高限界温度に対応する温度以上の温度になっても、植物１の光合成を促進するために敢えて温度調整部８０を制御しない。これによっても、植物１の根腐れの抑制と植物１の光合成の促進との双方を実現させながら、必要なときに温度調整部８０を使用することにより、植物１の周辺の雰囲気の温度を調整することができる。
【００５４】
（５）  植物１の葉４に光を照射する光照射部９０をさらに備えていることが好ましい。制御部５０は、所定の位置の温度が生育最高限界温度または生育最高限界温度に対応する温度以上の温度になる場合がある。この場合には、制御部５０は、植物１の葉４に光が照射されるように光照射部９０を制御することが好ましい。
【００５５】
上記の構成によれば、自然光による光合成を行うことができない場合においても、光合成を促進させることができる。
【００５６】
（６）  酸素濃度調整部６０は、所定の位置の温度が生育最高限界温度または生育最高限界温度に対応する温度以上の温度になった場合に、所定の位置の温度が上昇するにつれて、水または養液３の酸素濃度を増加させることが好ましい。
【００５７】
上記の構成によれば、温度の上昇に伴って増加する呼吸に必要な酸素量に対応して水または養液３の酸素量を増加させることができる。そのため、植物１の根２により適した育成環境を提供することができる。
【００５８】
（７）  所定の位置の温度は、植物１の周辺の雰囲気の温度であってもよい。これによれば、植物１の周辺の雰囲気の温度から水または養液３中の酸素の不足を推定することができる。この構成は、周辺の雰囲気の温度の変化に応じて根２の呼吸に必要な酸素量が大きく変動する植物１の育成に適している。
【００５９】
（８）  所定の位置の温度は、水または養液３の温度であってもよい。これによれば、水または養液３の温度から水または養液３中の酸素の不足を推定することができる。この構成は、水または養液３の温度の変化に応じて根２の呼吸に必要な酸素量が大きく変動する植物１の育成に適している。
【００６０】
（９）  水耕栽培装置１００は、液体流路／貯留部１０に水または養液３を供給する液体供給部７０をさらに備えていることが好ましい。酸素濃度調整部６０は、液体供給部７０の水または養液３の酸素濃度を調整することが好ましい。
【００６１】
上記の構成によれば、変動がより大きい液体流路／貯留部１０内の水または養液３の酸素濃度を調整する場合に比較して、酸素濃度の調整を容易に行うことができる。
【００６２】
（１０）  液体流路／貯留部１０の水または養液３の酸素濃度を測定する酸素濃度測定部１５をさらに備えていることが好ましい。酸素濃度調整部６０は、酸素濃度測定部１５によって測定された水または養液３の酸素濃度の情報に基づいて、液体流路／貯留部１０の水または養液３の酸素濃度を調整することが好ましい。
【００６３】
上記の構成によれば、植物１の根２に近い位置の水または養液３中の酸素濃度の測定結果に応じて水または養液３中の酸素濃度を調整する。そのため、植物１の酸素の消費量に応じて水または養液３中の酸素濃度をより適切な酸素濃度に調整することができる。
【符号の説明】
【００６４】
１  植物
２  根
３  水または養液
１０  液体流路／貯留部
１５  酸素濃度測定部
３０，４０  温度測定部
５０  制御部
６０  酸素濃度調整部
７０  液体供給部
８０  温度調整部
９０  光照射部
１００  水耕栽培装置
【図１】
2016214147.tif 000003
【図２】
2016214147.tif 000004
【図３】
2016214147.tif 000005
【図４】
2016214147.tif 000006
【図５】
2016214147.tif 000007
【図６】
2016214147.tif 000008